(57)【要約】【課題】人や物にやさしく軽量で組立性がよくしかも薄くても強度が高いルーバー装置を提供する。【解決手段】  矩形金属板よりなる羽根本体３ａの短手方向一端側３ｃが鈍角でコ字状に折り曲げられた第１折り曲げ部３ｄが形成され他端側３ｅが鈍角に折り曲げられた第２折り曲げ部３ｆが形成され、羽根本体３ａの長手方向両端側に支柱１と重ね合わせて溶接される接合部３ｂが第１折り曲げ部３ｄと第２折り曲げ部３ｆとの間で各々折り曲げ形成されている。【選択図】図２
2013068032.tif 000002
【特許請求の範囲】
【請求項１】
一対の支柱間に複数枚のルーバー羽根を一定間隔で鉛直方向に対して所定傾斜角度で架設して組み付けられたルーバー装置であって、
矩形金属板よりなる羽根本体の短手方向一端側が鈍角でコ字状に折り曲げられた第１折り曲げ部が形成され他端側が鈍角に折り曲げられた第２折り曲げ部が形成され、前記羽根本体の長手方向両端側に前記支柱と重ね合わせて溶接される接合部が前記第１，第２折り曲げ部の間で各々折り曲げ形成されていることを特徴とするルーバー装置。
【請求項２】
一対の支柱間に複数枚のルーバー羽根を一定間隔で鉛直方向に対して所定傾斜角度で架設して組み付けられたルーバー装置であって、
矩形金属板よりなる羽根本体の短手方向一端側が狭角に折り曲げられた第１折り曲げ部が形成され他端側が鈍角に折り曲げられた第２折り曲げ部が形成され、前記羽根本体の長手方向両端側に前記支柱と重ね合わせて溶接される接合部が前記第１，第２折り曲げ部の間で各々折り曲げ形成されていることを特徴とするルーバー装置。
【請求項３】
一対の支柱間に複数枚のルーバー羽根を一定間隔で鉛直方向に対して所定傾斜角度で架設して組み付けられたルーバー装置であって、
矩形金属板よりなる羽根本体の短手方向両端側がＲ面状に折り曲げられたＲ面部が各々形成され、前記羽根本体の長手方向両端側に前記支柱と重ね合わせて溶接される接合部が前記Ｒ面部どうしの間で各々折り曲げ形成されていることを特徴とするルーバー装置。
【請求項４】
一対の支柱間に複数枚のルーバー羽根を一定間隔で鉛直方向に対して所定傾斜角度で架設して組み付けられたルーバー装置であって、
矩形金属板よりなる羽根本体の短手方向一端側がＲ面状に折り曲げられたＲ面部が形成され他端側が鈍角に折り曲げられた折り曲げ部が形成され、前記羽根本体の長手方向両端側に前記支柱と重ね合わせて溶接される接合部が前記Ｒ面部と折り曲げ部の間で各々折り曲げ形成されていることを特徴とするルーバー装置。
【発明の詳細な説明】
【技術分野】
【０００１】
本発明は、例えばフェンス、窓、換気口、排気口などの外装パネルとして用いられるルーバー装置に関する。
【背景技術】
【０００２】
例えば、住宅用の窓や空気清浄機などの排気口などには空気流を整流するためのルーバー装置が設けられている。ルーバー装置は支柱間に複数のルーバー羽根が一定の間隔で架設され、ルーバー羽根は鉛直方向に対して所定の傾きをもって溶接されるか或いはスリットにて固定して組み付けられる（特許文献１参照）。或いは複数のルーバー羽根が設置面に応じて傾斜可能に組み付けられる（特許文献２参照）。
【先行技術文献】
【特許文献】
【０００３】
【特許文献１】特開平８−１７８４０６号公報
【特許文献２】特開２００８−５７２３６号公報
【発明の開示】
【発明が解決しようとする課題】
【０００４】
上述したルーバー装置に用いられるルーバー羽根は、固定タイプのものでは断面が矩形の金属板が用いられることが多い。装置重量を軽くするため、ルーバー羽根も薄型のものが用いられる。これにより各ルーバー羽根のエッジ部が鋭角になり、人や物が接触すると傷ついたり破損したりするおそれがある。このため、各ルーバー羽根のエッジ部を切削する必要があり工数や製造コストが嵩む。また、各ルーバー羽根の板厚が薄くなれば、ルーバー装置の強度が低下するため、ある程度の板厚が必要となるため重量やコストが嵩む。
【０００５】
本発明の目的は、人や物にやさしく軽量で組立性がよくしかも薄くても強度が高いルーバー装置を提供することにある。
【課題を解決するための手段】
【０００６】
上記目的を達成するため、本発明に係るルーバー装置は、以下の構成を備える。
一対の支柱間に複数枚のルーバー羽根を一定間隔で鉛直方向に対して所定傾斜角度で架設して組み付けられたルーバー装置であって、矩形金属板よりなる羽根本体の短手方向一端側が鈍角でコ字状に折り曲げられた第１折り曲げ部が形成され他端側が鈍角に折り曲げられた第２折り曲げ部が形成され、前記羽根本体の長手方向両端側に前記支柱と重ね合わせて溶接される接合部が前記第１，第２折り曲げ部の間で各々折り曲げ形成されていることを特徴とする。
【０００７】
また、矩形金属板よりなる羽根本体の短手方向一端側が狭角に折り曲げられた第１折り曲げ部が形成され他端側が鈍角に折り曲げられた第２折り曲げ部が形成され、前記羽根本体の長手方向両端側に前記支柱と重ね合わせて溶接される接合部が前記第１，第２折り曲げ部の間で各々折り曲げ形成されていることを特徴とする。
【０００８】
或いは、矩形金属板よりなる羽根本体の短手方向両端側がＲ面状に折り曲げられたＲ面部が各々形成され、前記羽根本体の長手方向両端側に前記支柱と重ね合わせて溶接される接合部が前記Ｒ面部どうしの間で各々折り曲げ形成されていることを特徴とする。
【０００９】
更には、矩形金属板よりなる羽根本体の短手方向一端側がＲ面状に折り曲げられたＲ面部が形成され他端側が鈍角に折り曲げられた折り曲げ部が形成され、前記羽根本体の長手方向両端側に前記支柱と重ね合わせて溶接される接合部が前記Ｒ面部と折り曲げ部の間で各々折り曲げ形成されていることを特徴とする。
【００１０】
上記構成によれば、ルーバー装置の羽根本体の短手方向両端側が折り曲げ部（平面）若しくはＲ面部（曲面）に形成されているので、ルーバー羽根に鋭利なエッジ部が形成されていないため、人や物がルーバー羽根に接触してもけがや破損を未然に防ぐことができる。
また、ルーバー羽根本体を薄型化しても、折り曲げ部やＲ面部が形成されることで剛性が高まりルーバー装置の強度が向上する。また、ルーバー装置をパネル面として使用する場合には、収納物による側方荷重を接合部で受けることができる。更には、ルーバー羽根の接合部が羽根本体の短手方向両側に形成された第１，第２折り曲げ部の間に形成されているので、羽根本体の長手方向及び短手方向の撓みが許容（弾性変形が許容）されているので、ルーバー装置として衝撃荷重に対する耐久性が向上する。
【発明の効果】
【００１１】
以上説明したように、本発明によれば、人や物にやさしく軽量で組立性がよくしかも薄くても強度が高いルーバー装置を提供することができる。
【図面の簡単な説明】
【００１２】
【図１】連結パネルの正面図、上視図、右側面図である
【図２】ルーバー羽根の側面図、連結突部の正面図及び右側面である。
【図３】ルーバー羽根の他の形態を示す側方説明図である。
【図４】物置棚の組み立て説明図である。
【発明を実施するための形態】
【００１３】
本発明に係るルーバー装置の実施形態について図１乃至図４を参照して説明する。以下の実施例では、ルーバー装置の一例として連結パネルに応用した場合を例示して説明するものとする。
【００１４】
まず、図１を参照して、連結パネルＰの一例について説明する。図１（Ａ）（Ｂ）において、左右一対に設けられた支柱１の一端側に対向面がテーパー面２ａと平行面２ｂとで囲まれた先細り状の連結突部２が組み付けられている。また、支柱１の他端側には連結突部２が嵌め込まれる嵌合孔１ａが形成されている。
【００１５】
一対の支柱１どうしは矩形金属板（例えばスチール板等）よりなる複数枚のルーバー羽根３により連結されている。ルーバー羽根３は図２（Ａ）に示すように羽根本体３ａとその長手方向両端側に各々設けられた接合部３ｂを備えている。羽根本体３ａの短手方向上端側３ｃには当該羽根本体３ａに対して鈍角でコ字状に折り曲げられた第１折り曲げ部３ｄが形成されている。また、羽根本体３ａの短手方向下端側３ｅには、羽根本体３ａに対して鈍角に折り曲げられた第２折り曲げ部３ｆが形成されている。
【００１６】
各ルーバー羽根３は、図１（Ａ）（Ｃ）に示すように、羽根本体３ａの長手方向両端側に設けられる接合部３ｂは、羽根本体３ａの短手方向に形成された第１折り曲げ部３ｄと第２折り曲げ部３ｆの間（平坦面の部分）で各々折り曲げ形成されている。各接合部３ｂは支柱１と各々重ね合わせてスポット溶接されて接合されている。これにより、羽根本体３ａは鉛直方向に対して所定角度（例えば４５°）傾斜するように取り付けられている（図１（Ｃ）参照）。
【００１７】
また、図２（Ｃ）に示すように、連結突部２のテーパー面２ａどうしを貫通する第２貫通孔２ｃ及び図２（Ｂ）に示すように平行面２ｂどうしを貫通するように第２貫通孔２ｄが各々形成されている。また、嵌合孔１ａの対向する壁面には、第２貫通孔２ｃと連通可能な位置に第１貫通孔１ｂ（図示せず）、第２貫通孔２ｄと連通可能な位置に第１貫通孔１ｃが各々形成されている。連結突部２が嵌合孔１ａに嵌め込まれた状態で、第１貫通孔１ｂ及び第２貫通孔２ｃ若しくは第１貫通孔１ｃ及び第２貫通孔２ｄに図示しない抜け止めピンを嵌め込むことで、連結パネルＰどうしが抜け止めされて連結される。
【００１８】
上記構成によれば、羽根本体３ａの短手方向上端側３ｃ及び短手方向下端側３ｅが折り曲げ部（平面）に形成されるので、ルーバー羽根に鋭利なエッジ部が形成されていないため、人や物が接触してもけがや破損を未然に防ぐことができる。
また、羽根本体３ａは従来板厚が３．２ｍｍ程度のものが０．８ｍｍ程度におよそ１／４に薄型化することが可能となり、羽根本体３ａに折り曲げ面が形成されることで剛性が高まりルーバー装置の強度が向上する。また、薄型化することで、プレス加工や溶接などの作業性が向上する。また、ルーバー装置をパネル面として使用する場合には、軽量化により可搬性がよくなるうえに収納物による側方荷重を羽根本体３ａの接合部で受けることができる。更には、ルーバー羽根３の接合部３ｂが第１折り曲げ部３ｄと第２折り曲げ部３ｆの間で各々折り曲げ形成されているので、羽根本体３ａの長手方向及び短手方向の撓みが許容（弾性変形が許容）されルーバー装置として衝撃荷重に対する耐久性が向上する。
また、連結突部２を嵌合孔１ａに嵌め込むことで連結パネルＰを高さ方向に積み上げて連結したり、支柱１の嵌合孔１ａどうし若しくは連結突部２どうしを連結したりすることで、隣接する連結パネルＰどうしを連結することができるので、目的に応じた形態で連結パネルＰを利用することができる。
【００１９】
次にルーバー羽根３の他の形態について図３（Ａ）（Ｂ）を参照して説明する。
図３（Ａ）に示すように羽根本体３ａの短手方向上端側３ｃが狭角に折り曲げられた第１折り曲げ部３ｇが形成され、短手方向下端側３ｅが鈍角に折り曲げられた第２折り曲げ部３ｆが形成され、羽根本体３ａの長手方向両端側に支柱１と重ね合わせて溶接される接合部３ｂが第１折り曲げ部３ｇと第２折り曲げ部３ｆとの間で各々折り曲げ形成されていてもよい。
【００２０】
また、図３（Ｂ）に示すように、羽根本体３ａの短手方向上端側３ｃ及び短手方向下端側３ｅをＲ面状に折り曲げられたＲ面部３ｈ（第１，第２折り曲げ部）が各々形成され、羽根本体３ａの長手方向両端側に支柱１と重ね合わせて溶接される接合部３ｂがＲ面部３ｈどうしの間で各々折り曲げ形成されていてもよい。
【００２１】
更には、図３（Ｃ）に示すように、羽根本体３ａの短手方向上端側３ｃをＲ面状に折り曲げられたＲ面部３ｈ（第１折り曲げ部）が形成され、短手方向下端側３ｅが鈍角に折り曲げられた第２折り曲げ部３ｆが形成され、羽根本体３ａの長手方向両端側に支柱１と重ね合わせて溶接される接合部３ｂがＲ面部３ｈと第２折り曲げ部３ｆとの間で各々折り曲げ形成されていてもよい。
【００２２】
次に図４（Ａ）（Ｂ）において、ルーバー羽根３を支柱１に組み付けた連結パネルＰを用いた構造物の一例を示す。図４（Ａ）（Ｂ）は、薪をストックする薪小屋として用いる物置棚１２であり、ルーバー羽根３により雨露がかからず風が通るため薪の乾燥が促進される。
【００２３】
一対の脚部９を脚連結部１０により一体的に連結し、脚連結部１０に任意の長さの床部材１１を固定すれば、任意の横幅の物置棚１２を構成できる。床部材１１としてはツーバイフォー木材を図示する。ツーバイフォー木材はアングル材である床部材保持部（図示せず）を用いて脚部９に対して容易にボルト締めで固定できる。上部の支柱１の嵌合孔１ａに嵌合する取付金具１３を介して梁材や屋根材１４などをねじ止めにより組み付けることができる。これにより、風雨にさらされる屋根を固定することができる。連結パネルＰの壁面をルーバー羽根３とすれば、防雨性と通気性を兼ね備えたパネルを実現できる。パネル面は開口しているため、雨水や塵埃がたまることはなくしかも錆難く、パネル面に荷重が作用しても、ルーバー羽根３の長手方向及び短手方向の撓みにより衝撃荷重を吸収することができるので耐久性も向上する。
【００２４】
また、物置棚１２の正面或いは背面をルーバー羽根３で構成しても良いし、側面３面あるいは４面をルーバー羽根３としてもよく、各種物置として使用することができる。例えばエアコン室外機のカバーを構成する場合は、通気性がよく直射日光を遮り冷房効率が上がり省エネとなる。或いは大型犬用の大型ドッグハウスを容易に構成でき、夏期の通気性も確保できる。    
【符号の説明】
【００２５】
Ｐ  連結パネル  １  支柱  １ａ  嵌合孔  １ｂ，１ｃ  第１貫通孔  ２  連結突部  ２ａ  テーパー面  ２ｂ  平行面  ２ｃ，２ｄ  第２貫通孔  ３  ルーバー羽根  ３ａ  羽根本体  ３ｂ  接合部  ３ｃ  短手方向上端部  ３ｄ  第１折り曲げ部  ３ｅ  短手方向下端部  ３ｆ  第２折り曲げ部  ３ｈ  Ｒ面部  ９  脚部  １０  脚連結部  １１  床部材  １２  物置棚  １３  取付金具  １４  屋根材
【図１】
2013068032.tif 000003
【図２】
2013068032.tif 000004
【図３】
2013068032.tif 000005
【図４】
2013068032.tif 000006